(57)【要約】【課題】通信回線に複数のコンソールと複数のＦＰＤを接続する放射線撮影システムにおいて、複数のコンソールから一つのＦＰＤに対して撮影予約が重複して登録されることを防ぎ、ひいては患者に対応する放射線画像の取り違えを防止する放射線撮影システムを得る。【解決手段】ＦＰＤは、一つの制御端末装置からの撮影オーダを受け付けている受付中の状態である場合には、他の撮影予約の受け付けを行わないことを特徴とする放射線撮影システムとする。【選択図】図３
2008142314.tif 000002
【特許請求の範囲】
【請求項１】
被検体を透過した放射線に基づいて放射線画像データを取得する複数の放射線画像検出装置と、
前記複数の放射線画像検出装置の中から撮影を実行する放射線画像検出装置を選択する、制御端末装置と、
が通信回線で接続された放射線撮影システムであって、
前記放射線画像検出装置は、制御端末装置からの撮影予約を受け付けている受付中の状態である場合には、他の撮影予約の受け付けを行わないことを特徴とする放射線撮影システム。
【請求項２】
被検体を透過した放射線に基づいて放射線画像データを取得する複数の放射線画像検出装置と、
前記複数の放射線画像検出装置の中から撮影を実行する放射線画像検出装置を選択する、複数の制御端末装置と、
が通信回線で接続された放射線撮影システムであって、
前記放射線画像検出装置は、一つの制御端末装置からの撮影予約を受け付けている受付中の状態である場合には、他の制御端末装置からの撮影予約の受け付けを行わないことを特徴とする放射線撮影システム。
【請求項３】
前記放射線画像検出装置は、受け付けた撮影予約の撮影を完了した後に、前記受付中の状態を解除することを特徴とする請求項１又は２に記載の放射線撮影システム。
【請求項４】
前記放射線画像検出装置は、受け付けた撮影予約の撮影を完了した後に、撮影予約の受け付けを行った制御端末装置へ放射線画像データの送信を行うことを特徴とする請求項１乃至３いずれか１項に記載の放射線撮影システム。
【請求項５】
前記放射線画像検出装置は、受け付けた撮影予約の撮影を完了し、撮影予約を受け付けた制御端末装置への全ての放射線画像データの送信が完了した後に、前記受付中の状態を解除することを特徴とする請求項１又は２に記載の放射線撮影システム。
【請求項６】
制御端末装置と通信回線を介して接続され、被検体を透過した放射線に基づいて放射線画像データを取得する放射線画像検出装置であって、
制御端末装置からの撮影予約を受け付ける撮影予約受付部と、
前記撮影予約受付部が撮影予約を受け付けた場合に、受付状態を受付中とする撮影状態制御部と、
前記撮影予約受付部が受け付けた撮影予約に係る放射線画像データの取得を制御し、該撮影状態が受付中である場合は、撮影予約を受け付けない受付制御部とを有することを特徴とする放射線画像検出装置。
【請求項７】
撮影予約及び制御端末装置を識別する制御端末ＩＤを受信する受信部と、
撮影予約を受け付けた制御端末装置を識別する制御端末ＩＤを記憶する記憶部とを有し、
前記受付制御部は、前記記憶部に記憶された制御端末ＩＤと異なる制御端末ＩＤを前記受信部が受信した場合に、前記受信部が受信した撮影予約を受け付けないことを特徴とする請求項６に記載の放射線画像検出装置。
【請求項８】
前記撮影状態制御部は、放射線画像データを取得した後に、前記受付中の受付状態を解除することを特徴とする請求項６又は７に記載の放射線画像検出装置。
【請求項９】
放射線画像データを送信する送信部を有し、
前記撮影状態制御部は、前記送信部が放射線画像データを送信した後に、前記受付中の受付状態を解除することを特徴とする請求項６乃至８いずれか１項に記載の放射線画像検出装置。
【発明の詳細な説明】
【技術分野】
【０００１】
本発明は、被検体に放射線を照射し、被検体を透過した放射線量に基づいて放射線画像データを取得する放射線撮影システムに関し、とくに通信回線で接続された放射線撮影システム、放射線画像検出装置に関する。
【背景技術】
【０００２】
近年、被検体に放射線を照射し、被検体を透過した放射線を検出して放射線画像を得る方法として、デジタル方式の放射線画像検出装置が用いられている。このような放射線画像検出装置としては、いわゆるＦＰＤ（Ｆｌａｔ  Ｐａｎｅｌ  Ｄｅｔｅｃｔｏｒ）がある。
【０００３】
ＦＰＤの一例としては、基板上に複数の検出素子を２次元的に配列し、被検体を透過した放射線が蛍光体（シンチレータ）に照射され、照射された放射線量に応じて発光する可視光を検出素子により電荷に変換してコンデンサに蓄積し、コンデンサに蓄積した電荷を読み出すことにより放射線画像を得るものがある。このようなＦＰＤは撮影直後に放射線画像を得られるという即時性を有している。
【０００４】
また、近年は情報利用の利便性や各種処理の迅速性の観点から、患者診断情報や会計情報を一元管理するシステムとしてＨＩＳ（Ｈｏｓｐｉｔａｌ  Ｉｎｆｏｒｍａｔｉｏｎ  Ｓｙｓｔｅｍ）や、放射線科内の撮影オーダ情報等を管理するシステムとしてＲＩＳ（Ｒａｄｉｏｌｏｇｙ  Ｉｎｆｏｒｍａｔｉｏｎ  Ｓｙｓｔｅｍ）等が導入されている。各種の放射線画像撮影装置や撮影装置の制御端末等は病院内に配置されたＬＡＮ等のネットワークを介してＲＩＳやＨＩＳと接続されている。
【０００５】
このような病院内のネットワークに、複数のコンソール（制御端末）と通信機能を備えた複数のＦＰＤとを接続させた放射線画像システムが開示されている（特許文献１参照）。特許文献１に記載の放射線画像システムでは、放射線技師や医師等の操作者による画像確認の効率を向上させるために、撮影前にコンソールから選択したＦＰＤに撮影オーダを送信して登録しておき、撮影後にはＦＰＤからその登録を行ったコンソールに放射線画像を送信させるものである。これにより操作者は撮影後に撮影オーダ登録を行ったコンソールに戻ることで放射線画像の確認を行うことができる。
【０００６】
また、可搬性のカセッテ型ＦＰＤはその内部メモリに複数の放射線画像を記憶することが可能となるので、一度に複数の撮影オーダを登録し、複数の撮影を連続して行うという使い方も可能となっている。
【特許文献１】特開２００６−１２２３０４号公報
【発明の開示】
【発明が解決しようとする課題】
【０００７】
このようなＦＰＤに対しては複数の撮影オーダを登録することが可能であることから、複数のコンソールと複数のＦＰＤが同一のネットワークに接続された放射線画像システムにおいては、意図せずに複数の操作者が別々のコンソールから一つの（同一の）ＦＰＤに対して、個々の操作者が選択した異なる患者の撮影予約を続けて登録してしまう場合がある。そのような場合には患者と放射線画像の対応付けを取り違えるという重大な問題が生じる恐れがある。
【０００８】
本発明は上記問題に鑑み、同一の通信回線上に複数のコンソールと複数のＦＰＤ（放射線画像検出装置）を接続する放射線撮影システムにおいて、複数のコンソールから一つのＦＰＤに対して撮影予約が重複して登録されることを防ぎ、ひいては患者に対応する放射線画像の取り違えを防止する放射線撮影システム、放射線画像検出装置を得ること目的とするものである。
【課題を解決するための手段】
【０００９】
上記の目的は、下記に記載する発明により達成される。
【００１０】
（１）被検体を透過した放射線に基づいて放射線画像データを取得する複数の放射線画像検出装置と、前記複数の放射線画像検出装置の中から撮影を実行する放射線画像検出装置を選択する、制御端末装置と、が通信回線で接続された放射線撮影システムであって、
前記放射線画像検出装置は、制御端末装置からの撮影予約を受け付けている受付中の状態である場合には、他の撮影予約の受け付けを行わないことを特徴とする放射線撮影システム。
【００１１】
（２）被検体を透過した放射線に基づいて放射線画像データを取得する複数の放射線画像検出装置と、前記複数の放射線画像検出装置の中から撮影を実行する放射線画像検出装置を選択する、複数の制御端末装置と、が通信回線で接続された放射線撮影システムであって、
前記放射線画像検出装置は、一つの制御端末装置からの撮影予約を受け付けている受付中の状態である場合には、他の制御端末装置からの撮影予約の受け付けを行わないことを特徴とする放射線撮影システム。
【００１２】
（３）前記放射線画像検出装置は、受け付けた撮影予約の撮影を完了した後に、前記受付中の状態を解除することを特徴とする（１）又は（２）に記載の放射線撮影システム。
【００１３】
（４）前記放射線画像検出装置は、受け付けた撮影予約の撮影を完了した後に、撮影予約の受け付けを行った制御端末装置へ放射線画像データの送信を行うことを特徴とする（１）乃至（３）いずれかに記載の放射線撮影システム。
【００１４】
（５）前記放射線画像検出装置は、受け付けた撮影予約の撮影を完了し、撮影予約を受け付けた制御端末装置への全ての放射線画像データの送信が完了した後に、前記受付中の状態を解除することを特徴とする（１）又は（２）に記載の放射線撮影システム。
【００１５】
（６）制御端末装置と通信回線を介して接続され、被検体を透過した放射線に基づいて放射線画像データを取得する放射線画像検出装置であって、
制御端末装置からの撮影予約を受け付ける撮影予約受付部と、前記撮影予約受付部が撮影予約を受け付けた場合に、受付状態を受付中とする撮影状態制御部と、前記撮影予約受付部が受け付けた撮影予約に係る放射線画像データの取得を制御し、該撮影状態が受付中である場合は、撮影予約を受け付けない受付制御部とを有することを特徴とする放射線画像検出装置。
【００１６】
（７）撮影予約及び制御端末装置を識別する制御端末ＩＤを受信する受信部と、撮影予約を受け付けた制御端末装置を識別する制御端末ＩＤを記憶する記憶部とを有し、
前記受付制御部は、前記記憶部に記憶された制御端末ＩＤと異なる制御端末ＩＤを前記受信部が受信した場合に、前記受信部が受信した撮影予約を受け付けないことを特徴とする（６）に記載の放射線画像検出装置。
【００１７】
（８）前記撮影状態制御部は、放射線画像データを取得した後に、前記受付中の受付状態を解除することを特徴とする（６）又は（７）に記載の放射線画像検出装置。
【００１８】
（９）放射線画像データを送信する送信部を有し、前記撮影状態制御部は、前記送信部が放射線画像データを送信した後に、前記受付中の受付状態を解除することを特徴とする（６）乃至（８）いずれかに記載の放射線画像検出装置。
【発明の効果】
【００１９】
本発明によれば、同一のネットワークに複数のコンソールと複数のＦＰＤが接続された放射線撮影システムであっても、複数のコンソールから一つのＦＰＤに対して異なる患者の撮影予約が重複して登録されることを防ぐことにより、患者に対応する放射線画像の取り違えを防止する放射線撮影システム、放射線画像検出装置を得ることが可能となる。
【発明を実施するための最良の形態】
【００２０】
本発明を実施の形態に基づいて説明するが、本発明は該実施の形態に限られない。
【００２１】
図１は、実施形態に係る放射線撮影システムの一部の概略図である。放射線撮影システムは、被検体１００に放射線を照射する照射装置Ｒと、被検体を透過した放射線量に基づいて放射線画像データを取得する放射線画像検出装置Ｆと、各種操作を行う制御端末装置ＣＳ（以下、単に制御端末という）と、を有しており、これらは、各装置の通信部を介して通信回線Ｎにより接続されている。なお通信回線の通信方式は、Ｅｔｈｅｒｎｅｔ（登録商標）規格のＬＡＮ方式を用いている。
【００２２】
［照射装置］
照射装置Ｒは、制御部Ｒ１、通信部Ｒ２、メモリＲ３、操作表示部Ｒ５、放射線照射部Ｒ６を有する。
【００２３】
放射線照射部Ｒ６は、重金属からなる陽極を有し、フィラメントに高電圧、例えば２０ｋＶ〜１５０ｋＶを印加することにより電子線を発生させ、電子線を陽極（ターゲット）に当てることにより放射線を発生させる。陽極は、固定陽極あるいは、耐久の点ですぐれる回転陽極が用いられる。実施形態で使用される放射線は、例えば波長が１×１０-10ｍ程度のＸ線が使用される。
【００２４】
制御部Ｒ１は、ＣＰＵ、システムメモリ等から構成され、システムメモリに記憶されている各種プログラムをＣＰＵが実行することにより各種の制御を行う。
【００２５】
照射装置Ｒの通信部Ｒ２は、通信回線Ｎ（ＬＡＮ）を介して、放射線画像検出装置Ｆ、制御端末ＣＳ、等と通信を行う。
【００２６】
［放射線画像検出装置］
放射線画像検出装置Ｆについて図１と図２を用いて説明する。
【００２７】
図２は、放射線画像検出装置Ｆの外観図である。図１と共通する部分に関しては同符号を付している。放射線画像検出装置Ｆは、可搬型の撮影装置でありいわゆるＦＰＤ（Ｆｌａｔ  Ｐａｎｅｌ  Ｄｅｔｅｃｔｏｒ）と称されるものである。放射線画像検出装置Ｆ（以下、単にＦＰＤとも称す）は、図に示すように、制御部Ｆ１、通信部Ｆ２、メモリＦ３、信号制御回路Ｆ６（Ｆ６１、Ｆ６２）、撮像パネルＦ７を有する。
【００２８】
受信部及び通信部として機能する通信部Ｆ２は、放射線撮影室内に設置された無線アクセスポイント２との間で無線通信を行う。無線方式は、ＩＥＥＥ８０２．１１規格に準拠した無線ＬＡＮ方式を用いるが、これに限られずＵＷＢ（Ｕｌｔｒａ  Ｗｉｄｅ  Ｂａｎｄ）、Ｂｌｕｅｔｏｏｔｈ等の他の電波方式あるいは、赤外線通信等の光学方式のものを用いてもよい。
【００２９】
放射線画像データ取得部として機能する撮像パネルＦ７はシンチレータ７１と、光電変換素子群７２からなり、シンチレータ７１は放射線照射部Ｒ６から照射された放射線量に応じて可視光を発光する。発光した可視光を光電変換素子群７２で光量に応じたデジタル画像信号に変換し、そのデジタル画像信号を読み出してメモリＦ３に一時的に記憶する。なお光電変換素子群７２は、画素毎に光を電気信号に変換する複数の光電変換素子（受光素子あるいは検出素子とも称す）が２次元配置されており、一つの光電変換素子は放射線画像の１画素に対応する。これらの画素は例えば２００〜４００画素／２５．４ｍｍの密度で、被検体の撮影領域の大きさに渡って配置されている。
【００３０】
またメモリＦ３には、その容量に応じて、複数枚の放射線画像を記憶可能であり、例えば、撮影を続けて行い数枚〜十数枚程度の放射線画像データをメモリＦ３に記憶しておくことが可能である。
【００３１】
制御部Ｆ１は、ＣＰＵ、システムメモリ等から構成され、システムメモリに記憶されている各種プログラムをＣＰＵが実行することにより放射線画像検出装置Ｆ全体の制御を行う。なお、制御部Ｆ１においては、放射線画像検出装置Ｆの受付状態を常時管理している。
【００３２】
「受付中」の状態とは、その始期は後述する撮影予約を制御端末ＣＳから受け付けた時点であり、終期は当該撮影予約に係る全ての放射線画像データを取得した時点あるいはその取得した放射線画像データを制御端末ＣＳに送信完了した時点である。「空き」の状態とは、「受付中」でない状態であり、撮影予約に係る全ての放射線画像データを取得した時点あるいはその取得した放射線画像データを制御端末ＣＳに送信完了した時点、から制御端末ＣＳから撮影予約を受け付けるまでである。これらの受付状態はメモリＦ３に記憶している。また、受付状態が「受付中」の場合、当該受け付けた撮影予約を送信した制御端末ＣＳの制御端末ＩＤ情報を、受付状態、撮影枚数と併せてメモリＦ３に記憶する。すなわち、制御部Ｆ１が「撮影予約受付部」、「撮影状態制御部」、「受付制御部」の機能を有するものであり、メモリＦ３が「記憶部」として機能するものである。
【００３３】
バッテリからなる電源部３４は、放射線画像検出装置Ｆ全体への電力供給を行う。コネクタ３５は、撮影終了後に、放射線画像検出装置Ｆ等と物理的に接続することにより、照射装置Ｒとの間でデータ通信（有線通信）、及び電源部３４への充電等を行う。
【００３４】
撮像パネルＦ７は、照射された放射線の強度に応じて光電変換素子群７２に蓄積された電気エネルギー、を読み出す走査駆動回路Ｆ６１と、蓄積された電気エネルギーを画像信号として出力する信号選択回路Ｆ６２と接続されている。なお、筐体４０の内部の走査駆動回路Ｆ６１、信号選択回路Ｆ６２、制御部Ｆ１、メモリＦ３、通信部Ｆ２等は、図示しない放射線遮蔽部材で覆われており、筐体４０の内部での放射線散乱や、各回路への放射線照射を防止する。
【００３５】
なお、本実施形態においては、シンチレータを用いて放射線を間接的に検知する間接型ＦＰＤについて説明を行ったが、これに限られず、光電変換素子が放射線を直接、電気信号に変換する直接型ＦＰＤを用いてもよい。
［制御端末］
制御端末ＣＳ（コンソールとも称される）は、制御部Ｃ１、通信部Ｃ２、メモリＣ３、画像処理部Ｃ４、操作表示部Ｃ５を有する。操作表示部Ｃ５は、液晶ディスプレイの表示部と、表示部に重ねて配置されているタッチパネル部、マウス、キーボード等からなる操作部を有する。各種撮影オーダは、操作表示部Ｃ５から操作入力されるか、あるいは通信回線Ｎに接続されているＲＩＳやＨＩＳ等の管理サーバ（図示せず）から受信する。
【００３６】
画像処理部Ｃ４では、放射線画像検出装置Ｆで取得した放射線画像データ（以下、単に、画像データとも称す）を、濃度ゲイン調整、空間周波数変換等の画像処理を行うことができる。
【００３７】
メモリＣ３は、図示しない管理サーバから送信されて通信回線Ｎを介して受信した撮影オーダや放射線画像検出装置Ｆから送信された放射線画像データを記憶したり、また撮影オーダと画像データとを対応付けて記憶したりする。また制御端末ＣＳには、それぞれの制御端末ＣＳを識別するために、制御端末ＣＳにユニークな「制御端末ＩＤ」情報が付与されており、メモリＣ３に予め記憶されている。
【００３８】
図３は、実施形態に係る放射線撮影システムの概略図である。同図に示すように、放射線撮影システムには、図１に示した、照射装置Ｒ１、Ｒ２と、複数の放射線画像検出装置Ｆ１〜Ｆ４（以下、ＦＰＤ１〜ＦＰＤ４、あるいは単に、ＦＰＤと称す）と、複数の制御端末ＣＳ１〜ＣＳ４が、同一の通信回線Ｎに接続されている。なお、放射線室１でのＦＰＤ１、ＦＰＤ２は、無線方式により通信回線Ｎと接続を行っているが、放射線撮影室２でのＦＰＤ３、ＦＰＤ４はコネクタ３５とクレイドル（図示せず）を介して、有線方式により通信回線Ｎと接続している。
【００３９】
図４は、実施形態に係る放射線撮影システムの制御フローを示す図である。放射線技師や医師等の操作者が操作する制御端末ＣＳ、ＦＰＤ、間の制御フローを示したものである。
【００４０】
まず、ステップＳ０で、制御端末ＣＳのメモリＣ３に保持される複数の撮影オーダから、照射装置Ｒ及びＦＰＤで実行される撮影オーダが選択される。
【００４１】
図５は、制御端末ＣＳのメモリＣ３に保存される複数の撮影オーダの一例を示したものである。図５に示す様に、撮影オーダには、それぞれユニークな撮影オーダＩＤ（ｐ１）を付与し、各撮影オーダには患者ＩＤ（ｐ２）、診療科（ｐ６）、撮影部位（ｐ７）及び撮影方向（ｐ８）の撮影条件、の情報が付与されている。また患者ＩＤ（ｐ２）には、患者氏名（ｐ３）、性別（ｐ４）、年齢（ｐ５）等の患者情報が関連づけられているので、その情報も合わせて付与される。患者情報は患者を特定するためのものであり、患者を特定することにより、他の患者との取り違えを防止する。例えば撮影オーダＩＤ「６１２０１００１」は、診療科が外科で、患者ＩＤ「１０００８５」の鈴木一郎氏に対して、胸部で正面Ａ−Ｐの撮影を実行するものであること示している。
【００４２】
図５に示す様な撮影オーダ一覧が、制御端末ＣＳの操作表示部Ｃ５の表示画面に表示されるので、操作者は表示された撮影オーダの中から撮影を行う撮影オーダＩＤ（ｐ１）を選択する。なお、撮影オーダは、制御端末ＣＳの操作表示部から操作者が直接入力してもよく、あるいは、図示していない、放射線管理サーバあるいは院内情報システムＨＩＳ、等に登録している撮影オーダを受信するようにしてもよい。
【００４３】
ステップＳ１では、制御端末ＣＳからいずれか一つのＦＰＤに対して、撮影予約を依頼する。なおこの際に、当該制御端末ＣＳの制御端末ＩＤ情報と撮影枚数も合わせて送信しておく。
【００４４】
撮影予約の依頼を受けたＦＰＤでは、制御部Ｆ１がメモリＦ３に記憶された受付状態を参照して、現在の受付状態が、「受付中」であれば（ステップＳ２のＹｅｓ）撮影予約の受付の拒否を回答する（ステップＳ３）。受付拒否の回答を受信した（ステップＳ４）制御端末ＣＳでは、受付が拒否されたＦＰＤ以外の、他のＦＰＤに再度撮影予約の受付を依頼するためステップＳ１以降のフローを再び行う。
【００４５】
一方、受付状態が「受付中」状態でなければ（ステップＳ２のＮｏ）、制御部Ｆ１はＦＰＤの状態を「受付中」状態にセット、すなわち「受付中」である受付状態をメモリＦ３に記憶し（ステップＳ５）、さらに撮影枚数と撮影予約を送信した制御端末ＣＳの制御端末ＩＤをメモリＦ３に記憶させ（ステップＳ６）、撮影予約を送信した制御端末ＣＳに対しては撮影予約を受け付けた旨（受付許可）を回答する（ステップＳ７）。そして以降、「受付中」状態が解除されるまでは、他の撮影予約は受け付けないようにする。
【００４６】
制御端末ＣＳでは、受付許可の受信にともない、撮影オーダと、受付を行ったＦＰＤのＩＤ番号を登録（ステップＳ８）して終了する。
【００４７】
このように同一の通信回線上に複数のコンソールと複数のＦＰＤが接続されている放射線撮影システムにおいて、一つの制御端末装置からの撮影予約を受け付けている受付中の状態である場合には、以降、他の撮影予約は受け付けないようにすることにより、複数のコンソールによって一つのＦＰＤが重複して登録されることを防ぎ、ひいては患者に対応する放射線画像の取り違えを防止する放射線撮影システム、放射線画像検出装置を得ることが可能となる。
【００４８】
なお、本実施の形態においては、制御端末ＣＳからＦＰＤに対しては撮影予約及び撮影枚数、制御端末ＩＤが送信され、ＦＰＤのメモリＦ３には撮影状態及び撮影枚数、制御端末ＩＤが記憶されるようにしたが、制御端末ＣＳから患者ＩＤ、撮影部位等の情報が含まれる撮影オーダが送信され、送信された撮影オーダがメモリＦ３に記憶されるようにしてもよい。このようにした場合、ＦＰＤの表示部３３に撮影オーダを表示することが可能となり、放射線撮影直前に操作者は撮影オーダの確認することでき、患者に対応する放射線画像の取り違えを防止することが可能となる。
【００４９】
図６は、他の実施形態に係る放射線撮影システムの制御フローを示す図である。同図に示すフローは、図４のフローに対して、破線枠Ａ内のフローを追加したものであり、それ以外は、図４と共通するので説明を省略する。
【００５０】
同図に示すように、撮影予約依頼時に、「受付中」の状態（ステップＳ２のＹｅｓ）であっても、他の制御端末からの撮影予約でない場合（ステップＳ２５のＮｏ）、言い換えると、メモリＦ３に撮影状態「受付中」とともに登録されている制御端末ＩＤと、送信された撮影予約と併せて送信された制御端末ＩＤが一致する場合には、撮影予約の受付を許可する。なお、この際に撮影枚数は、今回の撮影枚数を加算して登録される。
【００５１】
このように一つの制御端末ＣＳから撮影予約の登録をする場合には、ＦＰＤに複数の撮影予約することができるので、撮影が効率良くおこなえるという利点がある。またこのような状況では、一人の操作者一台の制御端末ＣＳを用いて連続的に撮影予約の依頼を行う場合であり、同一の患者に対する複数の撮影を行う場合がほとんどである。まれに、異なる患者の撮影オーダを選択することも予想されるが、このような場合においては操作者が複数の患者にわたる撮影を連続して行うことを意識しているので、１台のＦＰＤに撮影予約を重複して登録することによる患者の取り違え問題は生じ難い。
【００５２】
図７は、別の実施形態に係る放射線撮影システムの制御フローを示す図である。同図に示すフローは、事前に、通信回線Ｎに接続しているＦＰＤの状態を把握しておくものである。まず、制御端末ＣＳにおいてＦＰＤ状態一覧作成のサブルーチン処理（ステップＳ１１）を実行する。
【００５３】
図８は、図７のステップＳ１１に示すＦＰＤ状態一覧作成のサブルーチン処理を示す図である。同図のステップＳ１１１で、通信回線Ｎに接続している全てのＦＰＤに対して受け付け状態を問い合わせる。
【００５４】
次のステップＳ１１２で問い合わせを受けたＦＰＤが「受付中」であれば（ステップＳ１１３のＹｅｓ）、ＦＰＤの制御部Ｆ１は「受付中」の状態であること、及び「受付中」撮影状態と併せて記憶されている「制御端末ＩＤ」を通信部Ｆ２を介して回答する（ステップＳ１１４）。一方、「受付中」でなければ（ステップＳ１１３のＮｏ）、ＦＰＤの制御部Ｆ１は「受付中でない」の状態であることを回答する（ステップＳ１１５）。制御端末ＣＳでは、通信回線Ｎに接続中の全てのＦＰＤからの回答の受信が終了した場合（ステップＳ１１６のＹｅｓ）には、各ＦＰＤの状態一覧を作成して（ステップＳ１１７）終了する。図９は、状態一覧の例を示したものである。各ＦＰＤのＩＤ番号（ａ１）とともに受付状態（ａ２）、受付状態と併せて記憶されている制御端末ＩＤ（ａ３）、等が一覧として表示されている。なおＦＰＤのＩＤ番号とは、識別のためのユニークなＩＤ番号であり、予め各ＦＰＤに付与されたものである。
【００５５】
図７のフローの説明に戻る、ステップＳ１１に続いて、撮影オーダの入力等が行われ（ステップＳ１２）、続いてＦＰＤの選択が行われる（ステップＳ１３）。ＦＰＤの選択の操作手順について操作画面の図に基づいて説明する。
【００５６】
図１０は、制御端末ＣＳにおける操作表示部Ｃ５の操作画面の詳細図である。同図に示すように、選択した撮影オーダ情報が表示欄Ｄ２に表示されるとともに、表示欄Ｄ１には、選択可能なＦＰＤの状態一覧が表示される。この状態一覧は、ステップＳ１１で取得したものであり、同図に示す例では、前述の図９の例を示したものである。表示欄Ｄ３には、操作を行っている制御端末のＩＤ番号を表示している。
【００５７】
同図において、表示欄Ｄ１に表示されるＦＰＤ一覧のうち、「受付中」状態のＦＰＤは、他の制御端末装置からの撮影予約（撮影オーダ）は受け付けないようになっているので、受付可否欄Ｄ１０１に受付拒否「×」が表示されている（Ｄ１０１ａ）。なお同図の例においては、Ｄ１４に示すＦＰＤ０４は、受付中であるが、登録されている制御端末ＩＤ（Ｄ１０２）の「ＣＳ０２」が、操作を行っている制御端末ＩＤのＣＳ０２（Ｄ３欄）と一致しているので、他の制御端末装置からという条件には当てはまらないこととなるので（図６のステップＳ２５）、受付可否欄に受付可能「○」が表示されている。なお、Ｄ１欄の「場所」の欄Ｄ１０３は、各ＦＰＤがどの場所に存在しているか、具体的に、通信回線Ｎに接続している場所を示したものである。
【００５８】
撮影装置選択画面において撮影予約を行うＦＰＤを選択した上で（例えばＦＰＤ０３）、図８の選択実行釦Ｄ４を押すことにより、選択したＦＰＤに対して撮影オーダの受付依頼を、制御端末ＩＤ「ＣＳ０２」とともに送信する（ステップＳ１４）。依頼を受けたＦＰＤは、撮影枚数と制御端末ＩＤを登録し、状態を「受付中」状態にセットする（ステップＳ１５）。受け付けた制御端末ＣＳに対しては、撮影予約受付を回答し（ステップＳ１６）、制御端末では撮影予約とＦＰＤのＩＤを確定し（ステップＳ１７）て終了する。
【００５９】
なお、実施形態の例においては、制御端末ＩＤ、ＦＰＤのＩＤは、独自の制御番号を付与したが、通信回線に接続する際のＩＰアドレスあるいはＭＡＣアドレスを用いてもよい。
【００６０】
このように同一の通信回線上に複数のコンソールと複数のＦＰＤを接続可能な放射線撮影システムにおいて、一つの制御端末装置からの撮影予約を受け付けている「受付中」状態である場合には、以降、他の撮影予約は受け付けないようにすることにより、複数のコンソールから一つのＦＰＤが重複して登録されることを防ぎ、ひいては患者に対応する放射線画像の取り違えを防止する放射線撮影システム、放射線画像検出装置を得ることが可能となる。
【００６１】
［「受付中」状態を解除する制御］
図１１は、その他の実施形態に係る放射線撮影システムの制御フローを示す図である。同図に示すフローは、放射線画像の撮影等が終了した後に、「受付中」の状態を解除するものであり、図４、図６、図７の制御フローに続くものである。
【００６２】
撮影オーダに基づき被検体（患者）１００に対して放射線画像の撮影を行う（ステップＳ３１）。ここでいう撮影とは、照射装置Ｒからの放射線を被検体１００に向けて照射し、被検体を透過した放射線量に基づいて放射線画像データをＦＰＤのメモリＦ３に取得することを意味する。
【００６３】
撮影予約に基づいて撮影を続けて行い、全ての撮影予約（撮影枚数分）の撮影が完了した場合には（ステップＳ３２のＹｅｓ）、ＦＰＤの「受付中」状態を解除する（ステップＳ３３）。解除により、以降、他の制御端末ＣＳからの撮影予約の登録も受け付けることが可能となる。なお、制御部Ｆ１では撮影枚数をカウントしており、（図４のステップＳ６等で）登録されている撮影枚数を撮影した枚数分だけ減じ、残りの撮影枚数がゼロになったことにより、全ての撮影が完了したと判断している。
【００６４】
ＦＰＤは、撮影した放射線画像データを、登録した制御端末ＩＤ（図１０の例ではＣＳ０２）の制御端末ＣＳに対して送信する（ステップＳ３４）。制御端末ＣＳでは、受信した画像データをメモリＣ３に記憶し、画像処理部Ｃ４で必要な画像処理を行った上で、操作表示部の表示画面に放射線画像を表示（ステップＳ３５）して終了する。
【００６５】
図１２は、図１１の変形例を示す制御フローを示す図である。同図に示すフローは、「受付中」状態の解除を画像データの送信完了により行うものである。図１１の制御フローに対して、破線枠Ｂ内を変更したものであり、その他は図１１と共通するので説明を省略する。
【００６６】
ステップＳ３４で、登録した制御端末ＩＤの制御端末ＣＳに放射線画像データを送信し、撮影した全ての放射線画像データの送信が完了（ステップＳ３４５）した場合に、ＦＰＤの「受付中」状態を解除して（ステップＳ３４６）終了する。
【００６７】
このように、登録した撮影予約が終了した場合に、ＦＰＤの「受付中」状態を解除することにより以降、他の制御端末ＣＳからの撮影予約を受け付けることが可能となるので、同一の通信回線上に複数のコンソールと複数のＦＰＤを接続する放射線撮影システムにおいて、複数のコンソールから一つのＦＰＤが重複して登録されることを防ぎ、ひいては患者に対応する放射線画像の取り違えを防止するとともに、ＦＰＤを有効活用できる効率的な運用を行うことが可能となる放射線撮影システム、放射線画像検出装置を得ることができる。
【図面の簡単な説明】
【００６８】
【図１】実施形態に係る放射線撮影システムの一部の概略図である。
【図２】放射線画像検出装置Ｆの外観図である。
【図３】実施形態に係る放射線撮影システムの概略図である。
【図４】実施形態に係る放射線撮影システムの制御フローを示す図である。
【図５】複数の撮影オーダを示した例である。
【図６】他の実施形態に係る放射線撮影システムの制御フローを示す図である。
【図７】別の実施形態に係る放射線撮影システムの制御フローを示す図である。
【図８】ＦＰＤ状態一覧作成のサブルーチン処理を示す図である。
【図９】各ＦＰＤの状態一覧を示す例である。
【図１０】制御端末ＣＳにおける操作表示部Ｃ５の操作画面の詳細図である。
【図１１】その他の実施形態に係る放射線撮影システムの制御フローを示す図である。
【図１２】図１１の変形例を示す制御フローを示す図である。
【符号の説明】
【００６９】
Ｆ  放射線画像検出装置（ＦＰＤ）
Ｆ１、Ｒ１、Ｃ１  制御部
Ｆ２、Ｒ２、Ｃ２  通信部
Ｆ３、Ｒ３、Ｃ３  メモリ（記憶部）
Ｒ  照射装置
Ｒ６  放射線照射部
ＣＳ  制御端末（コンソール）
Ｃ５  操作表示部
Ｎ  通信回線（ネットワーク）
２  無線アクセスポイント
【図１】
2008142314.tif 000003
【図２】
2008142314.tif 000004
【図３】
2008142314.tif 000005
【図４】
2008142314.tif 000006
【図５】
2008142314.tif 000007
【図６】
2008142314.tif 000008
【図７】
2008142314.tif 000009
【図８】
2008142314.tif 000010
【図９】
2008142314.tif 000011
【図１０】
2008142314.tif 000012
【図１１】
2008142314.tif 000013
【図１２】
2008142314.tif 000014